(57)【要約】【課題】商品包装箱の蓋体を開けることなく、複数の異なる加工食品が収納されている加工食品の中で、最も期限が短い加工食品の期限表示の内容を知ることができる商品包装箱を提供する。【解決手段】商品包装箱１００は、相互に異なる期限表示が付された加工食品が入った容器Ａ，Ｂ，Ｃを複数収容する箱本体１０２及び箱本体１０２が有する先端開口１１５を塞ぐ蓋体１０４を有する。蓋体１０４が先端開口１１５を塞いでいる状態の際に、外部から視認できる蓋体１０４の上壁部１２０外表面を有する。蓋体１０４の上壁部１２０外表面にラベル１３０が貼着されて、ラベル１３０に複数の加工食品のうち、最も期限が短い加工食品の期限表示が記載されている。【選択図】図１
0003188889.tif 000002
【実用新案登録請求の範囲】
【請求項１】
相互に異なる期限表示が付された加工食品を複数収容する箱本体及び前記箱本体が有する商品取り出し口を塞ぐ蓋体を有し、前記蓋体が前記商品取り出し口を塞いでいる状態の際に、外部から視認できる前記蓋体の意匠面、又は箱本体の意匠面を有した商品包装箱において、
前記蓋体の意匠面及び箱本体の意匠面のうち、少なくともいずれか一方の意匠面に、前記複数の前記加工食品のうち、最も期限が短い加工食品の期限表示が記載された商品包装箱。
【請求項２】
前記箱本体は、底壁及び前記底壁の周縁に配置された箱本体周壁にて有底箱状に形成されて、前記箱本体周壁の先端開口を前記商品取り出し口として有し、
前記蓋体は、前記先端開口を塞ぐように形成された天井壁と、前記天井壁の周縁から下方に延設されて前記箱本体の箱本体周壁を囲む蓋体周壁とにて有蓋箱状に形成され、
前記蓋体の意匠面は、前記天井壁の外表面、または前記蓋体周壁の外表面である請求項１に記載の商品包装箱。
【請求項３】
前記箱本体は、底壁及び前記底壁の周縁に配置された箱本体周壁にて有底箱状に形成されて、前記箱本体周壁の先端開口を前記商品取り出し口として有し、
前記蓋体は、前記先端開口を塞ぐように形成されて前記箱本体周壁の先端の一部に開閉自在に連結されており、
前記箱本体の意匠面は、前記箱本体周壁の外表面であり、
前記蓋体の外表面を、前記蓋体の意匠面としている請求項１に記載の商品包装箱。
【請求項４】
前記蓋体の意匠面及び箱本体の意匠面のうち、少なくともいずれか一方の意匠面には、期限表示欄が付与されており、前記最も期限が短い加工食品の期限表示は、前記期限表示欄に記載されている請求項１乃至請求項３のうちいずれか１項に記載の商品包装箱。
【請求項５】
前記期限表示欄及び前記最も期限が短い加工食品の期限表示は、前記蓋体の意匠面及び箱本体の意匠面のうち、少なくともいずれか一方の意匠面に貼着されたラベルに施されている請求項４に記載の商品包装箱。
【請求項６】
前記期限表示欄及び前記最も期限が短い加工食品の期限表示は、前記蓋体の意匠面及び箱本体の意匠面のうち、少なくともいずれか一方の意匠面に対して印刷されている請求項４に記載の商品包装箱。
【請求項７】
前記期限表示欄の四方周辺部のうち、いずれか一方の周辺部には前記最も期限が短い加工食品の期限表示の他に、当該加工食品に含まれる食餌性アレルゲンが記載されている請求項４乃至請求項６のうち、いずれか１項に記載の商品包装箱。
【請求項８】
前記期限表示欄には前記加工食品の期限表示の他に、当該期限表示欄の期限表示に注視させる趣旨の文言、画または記号が記載されている請求項４乃至請求項６のうち、いずれか１項に記載の商品包装箱。
【考案の詳細な説明】
【技術分野】
【０００１】
本考案は、商品を収容する商品包装箱に関する。
【背景技術】
【０００２】
従来、お中元、お歳暮、或いはギフトセールにおいて、商品包装箱にメーカーが異なる複数の加工食品を詰め合わせしたり、或いは同一メーカ製の各種加工食品を詰め合わせて販売することが多く行われている。前記加工食品には、例えば、油脂食品、嗜好食品、調味料等が含まれている。
【０００３】
加工食品の場合、農林物資の規格化及び品質表示の適正化に関する法律(ＪＡＳ法)に基づく加工食品品質表示基準により、賞味期限または消費期限の期限表示を当該加工食品に表示することが加工食品メーカーに義務付けられている。このため、前記商品包装箱に詰め合わされた前記各種加工食品には、賞味期限または消費期限の表示（以下、単に期限表示という）が行われている。
【考案の概要】
【考案が解決しようとする課題】
【０００４】
ところで、上記のように、異なる加工食品が商品包装箱に詰め合わされている場合、詰め合わされている加工食品が異なるため、個々の加工食品の期限表示の内容も異なることが多い。また、お中元、お歳暮、或いはギフトセールは、加工食品メーカーではなく、前記期限表示の義務がない流通業者が行う場合も多い。この場合、流通業者は、複数の加工食品を詰め合わせた商品包装箱には、詰め合わせた加工食品の期限表示を行っていないのが実情である。
【０００５】
一方、前記商品包装箱に詰め合わされた加工食品の贈答を受けた消費者、或いは購入した消費者は、前記加工食品を直ぐに消費する場合は問題ないが、そのまま箱毎、保管してしまう場合がある。この場合、消費者は、商品包装箱外部からは、加工食品に付された期限表示を直接みることができない問題がある。消費者が知りたい場合には、包装箱の蓋を開けて、前記商品包装箱に収容された加工食品自体のパッケージ、或いは容器等に付された期限表示を見る必要があり、とても面倒な問題があった。
【０００６】
特に、最も期限が短い期限表示の加工食品は、見過ごされやすく、せっかくの加工食品を適切な時期に食することができない問題がある。
本考案の目的は、商品包装箱の蓋体を開けることなく、複数の異なる加工食品が収納されている加工食品の中で、最も期限が短い加工食品の期限表示の内容を知ることができる商品包装箱を提供することにある。
【課題を解決するための手段】
【０００７】
上記問題点を解決するため、請求項１の考案は、相互に異なる期限表示が付された加工食品を複数収容する箱本体及び前記箱本体が有する商品取り出し口を塞ぐ蓋体を有し、前記蓋体が前記商品取り出し口を塞いでいる状態の際に、外部から視認できる前記蓋体の意匠面、又は箱本体の意匠面を有した商品包装箱において、前記蓋体の意匠面及び箱本体の意匠面のうち、少なくともいずれか一方の意匠面に、前記複数の前記加工食品のうち、最も期限が短い加工食品の期限表示が記載された商品包装箱を要旨としている。
【０００８】
請求項２の考案は、請求項１において、前記箱本体は、底壁及び前記底壁の周縁に配置された箱本体周壁にて有底箱状に形成されて、前記箱本体周壁の先端開口を前記商品取り出し口として有し、前記蓋体は、前記先端開口を塞ぐように形成された天井壁と、前記天井壁の周縁から下方に延設されて前記箱本体周壁を囲む蓋体周壁とにて有蓋箱状に形成され、前記蓋体の意匠面は、前記天井壁の外表面、または前記蓋体周壁の外表面であることを要旨としている。
【０００９】
請求項３の考案では、請求項１において、前記箱本体は、底壁及び前記底壁の周縁に配置された箱本体周壁にて有底箱状に形成されて、前記箱本体周壁の先端開口を前記商品取り出し口として有し、前記蓋体は、前記先端開口を塞ぐように形成されて前記箱本体周壁の先端の一部に開閉自在に連結されており、前記箱本体の意匠面は、前記箱本体周壁の外表面であり、前記蓋体の外表面を、前記蓋体の意匠面としていることを要旨としている。
【００１０】
請求項４の考案では、請求項１乃至請求項３のうちいずれか１項において、前記蓋体の意匠面及び箱本体の意匠面のうち、少なくともいずれか一方の意匠面には、期限表示欄が付与されており、前記最も期限が短い加工食品の期限表示は、前記期限表示欄に記載されている。
【００１１】
また、請求項５の考案では、請求項４において、前記期限表示欄及び前記最も期限が短い加工食品の期限表示は、前記蓋体の意匠面及び箱本体の意匠面のうち、少なくともいずれか一方の意匠面に貼着されたラベルに施されていることを要旨としている。
【００１２】
また、請求項６の考案では、前記期限表示欄及び前記最も期限が短い加工食品の期限表示は、前記蓋体の意匠面及び箱本体の意匠面のうち、少なくともいずれか一方の意匠面に対して印刷されていることを要旨としている。
【００１３】
請求項７の考案では、請求項４乃至請求項６のうち、いずれか１項において、前記期限表示欄の四方周辺部のうち、いずれか一方の周辺部には前記最も期限が短い加工食品の期限表示の他に、当該加工食品に含まれる食餌性アレルゲンが記載されていることを要旨としている。
【００１４】
請求項８の考案では、請求項４乃至請求項６のうち、いずれか１項において、前記期限表示欄には、前記加工食品の期限表示の他に、当該期限表示欄の期限表示に注視させる趣旨の文言、画または記号が記載されている。
【考案の効果】
【００１５】
請求項１の考案によれば、商品包装箱の蓋体を開けることなく、複数の異なる加工食品が収納されている加工食品の中で、最も期限が短い加工食品の期限表示の内容を知ることができる。
【００１６】
請求項２の考案によれば、箱本体と蓋体とが独立している商品包装箱に収納した加工食品の中で、最も期限が短い加工食品の期限表示の内容を知ることができる。
請求項３の考案によれば、箱本体と蓋体とが連結されている商品包装箱に収納した加工食品の中で、最も期限が短い加工食品の期限表示の内容を知ることができる。
【００１７】
請求項４の考案によれば、期限表示欄に記載されている期限表示により、最も期限が短い加工食品の期限表示の内容を知ることができる。
請求項５の考案によれば、期限表示欄内に記載されている期限表示を付したラベルを商品包装箱の意匠面に貼着するだけで、請求項４の効果を容易に実現することができる。
【００１８】
従って、商品包装箱自体には期限表示欄及び期限表示を印刷する必要がない。これは、ラベルの方が、商品包装箱自体に印刷する場合よりもコスト的に安価となる場合に使用できる。
【００１９】
請求項６の考案によれば、期限表示欄内に記載されている期限表示を商品包装箱の意匠面に印刷するだけで、請求項４の効果を容易に実現することができる。従って、商品包装箱自体に印刷した方が、ラベルで商品包装箱自体に貼着する場合よりもコスト的に安価となる場合に使用できる。
【００２０】
請求項７の考案によれば、期限表示が最も期限が短い加工食品について、その期限表示の内容と食餌性アレルゲンとを同時に消費者は知ることができる。
請求項８の考案によれば、期限表示欄の期限表示に注視させる文言、画または記号により、消費者に、最も期限が短い期限表示の加工食品について注意喚起をすることができる。
【図面の簡単な説明】
【００２１】
【図１】（ａ）は第１実施形態の商品包装箱の箱本体と蓋体の分解斜視図、（ｂ）は、蓋体を箱本体に被せた状態の斜視図。
【図２】第１実施形態のラベルの平面図。
【図３】他の実施形態ラベルの平面図。
【図４】（ａ）は第２実施形態の商品包装箱の箱本体と蓋体の斜視図、（ｂ）は第２実施形態において、蓋体を開けた状態の商品包装箱の斜視図。
【考案を実施するための形態】
【００２２】
（第１実施形態）
本考案を、具体化した商品包装箱の一実施形態を図１〜図２（ａ）を参照して説明する。図１（ａ）、（ｂ）に示すように本実施形態の商品包装箱１００は、箱本体１０２と、蓋体１０４とから構成されている。
【００２３】
箱本体１０２は、厚紙等の紙製であって、底壁を構成する四角形状の底壁部１１０と、該底壁部１１０の周縁に配置された４つの側壁部１１２を有して、全体が有底箱状に形成されている。前記４つの側壁部１１２により箱本体周壁１１４が構成されている。前記箱本体周壁１１４の先端開口１１５を商品取り出し口としている。なお、前記底壁部１１０の外形形状は、四角形状に限定するものではなく、収納する加工食品の種類、または加工食品の収納の仕方に応じた形状でよい。なお、商品包装箱１００の組立方法は、公知であるとともに、本考案とは関係ないため、形状のみの説明を行うものとする。これらの壁部により加工食品を収納する収納空間Ｓが形成されている。
【００２４】
図１（ａ）に示すように箱本体１０２内には、複数の仕切壁１０６が所定間隔をおいて並設されている。仕切壁１０６間、及び仕切壁１０６と側壁部１１２間の収納空間には、異なる種類の加工食品が入った容器Ａ，Ｂ，Ｃがそれぞれ収納されている。
【００２５】
容器Ａ，Ｂ，Ｃの胴周面には、商品ラベルＡ１、Ｂ１、Ｃ１が巻回されている。商品ラベルＡ１、Ｂ１、Ｃ１には、図示しないが商品名、製造メーカー名、販売者名、原材料、当該加工食品に含まれる食餌性アレルゲン、及び賞味期限等の商品情報が印刷されている。前記賞味期限は、期限表示に相当する。複数の加工食品の中で、賞味期限が最も短い加工食品が、容器Ａであり、次に賞味期限が短い加工食品が容器Ｂであり、賞味期限が最も長い加工食品が容器Ｃである。
【００２６】
なお、加工食品には、例えば、水産練り製品、肉加工品、乳加工品、野菜加工品、果実加工品、油脂食品、嗜好食品、調味料、菓子類、冷凍食品、レトルト食品、缶詰食品、びん詰め食品、インスタント食品等がある。
【００２７】
蓋体１０４は、厚紙等の紙製であって、天井壁を構成する四角形状の上壁部１２０と、該上壁部１２０の周縁から下方に延設された４つの側壁部１２２を有して、全体が有蓋箱状に形成されている。前記４つの側壁部１２２により、蓋体周壁１２４が構成されている。
【００２８】
本実施形態では、上壁部１２０の外表面、及び蓋体周壁１２４の外表面が意匠面に相当する。すなわち、図１（ｂ）に示すように、蓋体１０４は、箱本体１０２に被せることにより、上壁部１２０が、箱本体周壁１１４の先端開口１１５を塞ぐとともに、蓋体周壁１２４が、箱本体１０２の箱本体周壁１１４の外表面の大部分を覆うようにされている。
【００２９】
このように蓋体周壁１２４が、箱本体１０２の箱本体周壁１１４の外表面を覆う状態で、外部から消費者が商品包装箱１００において視認できる面が、前記意匠面となる。
図１（ａ）、（ｂ）に示すように蓋体１０４の前記上壁部１２０外表面（意匠面）には、ラベル１３０が貼着されている。
【００３０】
図２に示すようにラベル１３０の上部領域には賞味期限記載欄１３２が設けられている。賞味期限記載欄１３２には、「賞味期限」の欄名１３２ａが記載されるとともに、賞味期限の期限表示欄１３２ｂ、及び、賞味期限記載欄１３２に消費者に注意喚起を付与するための画１３２ｃが記載されている。図２では、画１３２ｃは、文言「注目」及び記号「！」と書いた「看板」をもった「手」の内容となっている。ここで、「注目」は文言の一例であり、「！」は記号の一例である。
【００３１】
また、ラベル１３０の上部領域と下部領域間には、上記賞味期限欄に記載されている賞味期限が収納されている商品のなかで、最も賞味期限が短い商品である旨を記載したことわり書き欄１３４が設けられている。また、図２に示すようにラベル１３０の下部領域には、上記賞味期限が記載された加工食品に含まれている食餌性アレルゲンを記載した食餌性アレルゲン記載欄１３６が設けられている。すなわち、食餌性アレルゲン記載欄１３６は、期限表示欄１３２ｂを中心して、左右、上下の四方周辺部のうち、下方周辺部に設けられている。
【００３２】
例えば、本実施形態の容器Ａが収納している加工食品には、「小麦」、「卵」、「乳」、「そば」、「落花生」「カニ」、「エビ」が含まれているため、食餌性アレルゲン記載欄１３６には、これらの名前が印刷されている。
【００３３】
（実施形態の作用）
上記のように構成された商品包装箱１００の作用を説明する。
購入または贈答された商品包装箱１００を消費者が受け取った場合、消費者は、図１（ｂ）に示すように、容器Ａ，Ｂ，Ｃを収納した状態であっても、上壁部１２０の意匠面である外表面に貼着されたラベル１３０を見ることが可能である。従って、ラベル１３０には、図２に示すように、画１３２ｃにより、ラベル１３０の期限表示欄１３２ｂに注目するように促される。そして、「賞味期限」の欄名１３２ａ及び期限表示欄１３２ｂの記載、並びにことわり書き欄１３４により、商品包装箱１００内にある加工食品の中で、最も短い賞味期限の加工食品の実際の賞味期限を即座に簡便に知ることができる。
【００３４】
また、合わせて、最も短い賞味期限の加工食品の食餌性アレルゲンの内容も食餌性アレルゲン記載欄１３６から知ることができる。
さて、上記のように構成された商品包装箱１００の効果を以下に説明する。
【００３５】
（１）本実施形態の商品包装箱１００は、相互に異なる期限表示が付された加工食品が入った容器Ａ，Ｂ，Ｃを複数収容する箱本体１０２及び箱本体１０２が有する先端開口１１５を塞ぐ蓋体１０４を有する。また、蓋体１０４が先端開口１１５を塞いでいる状態の際に、外部から視認できる蓋体１０４の上壁部１２０外表面（意匠面）を有する。そして、蓋体１０４の上壁部１２０外表面（意匠面）に、前記複数の加工食品のうち、最も期限が短い加工食品の期限表示が記載されている。
【００３６】
この結果、本実施形態によれば、商品包装箱の蓋体を開けることなく、複数の異なる加工食品が収納されている加工食品の中で、最も期限が短い加工食品の期限表示の内容を知ることができる。
【００３７】
（２）本実施形態では、箱本体１０２は、底壁部１１０（底壁）及び底壁部１１０の周縁に配置された箱本体周壁１１４にて有底箱状に形成されて、箱本体周壁１１４の先端開口１１５を前記商品取り出し口として有する。
【００３８】
また、蓋体１０４は、先端開口１１５を塞ぐように形成された上壁部１２０（天井壁）と、上壁部１２０の周縁から下方に延設されて箱本体１０２の箱本体周壁１１４を囲む蓋体周壁１２４とにて有蓋箱状に形成されている。そして、蓋体１０４の外表面（意匠面）は、上壁部１２０の外表面としている。
【００３９】
この結果、本実施形態によれば、箱本体と蓋体とが独立している商品包装箱に収納した加工食品の中で、最も期限が短い加工食品の期限表示の内容を知ることができる。
（３）本実施形態では、蓋体１０４の意匠面には、期限表示欄１３２ｂが付与されており、最も期限が短い加工食品の期限表示は、期限表示欄１３２ｂに記載されている。この結果、本実施形態によれば、期限表示欄に記載されている期限表示により、最も期限が短い加工食品の期限表示の内容を知ることができる。
【００４０】
（４）本実施形態では、期限表示欄１３２ｂ及び最も期限が短い加工食品の期限表示は、蓋体１０４の意匠面に貼着されたラベル１３０に施されている。
本実施形態によれば、期限表示欄１３２ｂ内に記載されている期限表示を付したラベルを商品包装箱１００の意匠面に貼着するだけで、上記（３）の効果を容易に実現することができる。従って、蓋体１０４自体には期限表示欄及び期限表示を印刷する必要がない。これは、ラベルの方が、商品包装箱自体に印刷する場合よりもコスト的に安価となる場合に使用できる。
【００４１】
（５）本実施形態では、期限表示欄１３２ｂの四方周辺部のうち、食餌性アレルゲン記載欄１３６が、期限表示欄１３２ｂを中心して、下方周辺部に設けられている。この結果、本実施形態によれば、期限表示が最も期限が短い加工食品について、その期限表示の内容と食餌性アレルゲンとを同時に消費者は知ることができる。
【００４２】
（６）本実施形態では、期限表示欄１３２ｂに最も期限が短い加工食品の期限表示の他に、当該期限表示欄の期限表示に注視させる趣旨の文言、画または記号を記載した。この結果、本実施形態によれば、期限表示欄の期限表示に注視させる文言、画または記号により、消費者に、最も期限が短い期限表示の加工食品について注意喚起をすることができる。
【００４３】
（第２実施形態）
次に、第２実施形態を図４（ａ）、（ｂ）を参照して説明する。なお、第２実施形態において、第１実施形態の構成と同一又は相当する構成については同一符号を付してその詳細な説明を省略し、異なる構成を中心に説明する。
【００４４】
図４（ａ）、（ｂ）に示すように本実施形態では、商品包装箱１００は、箱本体１０２と、１つの側壁部１１２の先端に対して板状の蓋体１０４が連結されているところが、第１実施形態と異なっている。また、仕切壁１０６は省略されているところが、第１実施形態と異なっている。図４（ａ）に示すように蓋体１０４は、前記箱本体１０２の先端開口１１５を塞ぐように開閉するとともに、図４（ｂ）に示すように先端開口１１５を閉じる際に先端開口１１５内に挿入可能に折り曲げ片１５０が設けられている。なお、底壁部１１０も、本実施形態では備えるが、図４（ａ）、（ｂ）では説明の便宜上、図示していない。
【００４５】
本実施形態では、ラベル１３０が図４（ａ）の実線で示すように、箱本体１０２の側壁部１１２に貼着されている。ラベル１３０の構成は、第１実施形態と同様である。
なお、ラベル１３０の貼着箇所は、図４（ａ）、（ｂ）で実線で示すラベル１３０が貼着された側壁部１１２以外の他の側壁部１１２にしてもよい。図４（ａ）では、二点鎖線で示すラベル１３０が前記他の側壁部１１２に貼着された一例が示されている。
【００４６】
また、図４（ａ）に示すように、蓋体１０４の外表面（意匠面）に対して、二点鎖線で示すようにラベル１３０を貼着してもよい。
さて、上記のように構成された第２実施形態の商品包装箱１００の効果は、第１実施形態の（１）、（２）と同様の効果を奏する他、下記の効果がある。
【００４７】
（１）本実施形態では、箱本体１０２は、底壁部１１０（底壁）及び底壁部１１０の周縁に配置された箱本体周壁１１４にて有底箱状に形成されて、箱本体周壁１１４の先端開口１１５を商品取り出し口として有する。また、蓋体１０４は、先端開口１１５を塞ぐように形成されて箱本体周壁１１４の先端の一部に開閉自在に連結されている。また、箱本体周壁１１４の意匠面は、箱本体周壁１１４の外表面としている。また、蓋体１０４の外表面を、前記蓋体の意匠面としている。この結果、本実施形態によれば、箱本体と蓋体とが連結されている商品包装箱に収納した加工食品の中で、最も期限が短い加工食品の期限表示の内容を知ることができる。
【００４８】
なお、本考案の実施形態は以下のように変更してもよい。
・第１実施形態では、蓋体１０４の上壁部１２０外表面（意匠面）に、ラベル１３０を貼着したが、ラベル１３０の貼着箇所は、上壁部１２０に限定されない。例えば、図１（ａ）において、二点鎖線で例示するように、いずれかの側壁部１２２の外表面（意匠面）にラベル１３０を貼着してもよい。あるいは、上壁部１２０、４つの側壁部１２２の中から２つ以上を選択して、選択したそれぞれの外表面（意匠面）にそれぞれラベル１３０を貼着してもよい。
【００４９】
・前記各実施形態では、蓋体１０４の少なくともいずれか１つの外表面（意匠面）に、ラベル１３０を貼着したが、ラベル１３０の代わりに、同様の内容を印刷してもよい。
この場合は、期限表示欄１３２ｂ及び最も期限が短い加工食品の期限表示は、蓋体１０４の意匠面及び箱本体１０２の意匠面のうち、少なくともいずれか一方の意匠面に対して印刷されているものとなる。
【００５０】
そして、このようにすることにより、期限表示欄１３２ｂ内に記載されている期限表示を商品包装箱１００の意匠面に印刷するだけで、最も期限が短い加工食品の期限表示の内容を知ることができる。従って、商品包装箱自体に印刷した方が、ラベルで商品包装箱自体に貼着する場合よりもコスト的に安価となる場合に使用できる。
【００５１】
・前記実施形態では、ラベル１３０の上部領域に賞味期限記載欄１３２を、下部領域に食餌性アレルゲン記載欄１３６を設け、両領域間にことわり書き欄１３４を設けたが、この配置順序を限定するものではない。これらの欄の配置順序を逆にしてもよく、或いは、ラベル１３０において、ことわり書き欄１３４を最上部にし、その下方に賞味期限記載欄１３２及び食餌性アレルゲン記載欄１３６を、それぞれ上下に配置したりする等を行ってもよい。また、ラベル１３０の代わりに印刷する場合もそれらを同様に配置してもよい。
【００５２】
・前記各実施形態では、食餌性アレルゲン記載欄１３６を設けたが、食餌性アレルゲン記載欄１３６を省略してもよい。
・前記実施形態おいて、図２に示す画１３２ｃは、例示であり、画としては、この画に限定するものではない。例えば、図３に示すように、画１３２ｃの内容として、ルーペのレンズ内に「注目」の文字が入るようにしてもよい。このようにしても、消費者に注意喚起を付与できる。
【００５３】
・前記実施形態では、文言「注目」、記号「！」及び画１３２ｃを、期限表示欄の期限表示に注視させる趣旨で使用したが、この組み合わせに限定するものではなく、文言「注目」のみ、或いは、画１３２ｃのみ、或いは記号「！」のみを使用してもよい。記号としては、例えば「星印」等を使用してもよい。
【００５４】
・前記実施形態では、期限表示を賞味期限としたが、賞味期限に限定するものではなく、消費期限であってもよい。
・前記実施形態では、期限表示欄１３２ｂの四方周辺部のうち、食餌性アレルゲン記載欄１３６を、期限表示欄１３２ｂを中心して下方周辺部に設けたが、下方周辺部に限定するものではない。期限表示欄１３２ｂの四方周辺部のうち、食餌性アレルゲン記載欄１３６を、期限表示欄１３２ｂを中心して、上方周辺部、左方周辺部、右方周辺部のいずれか１つの周辺部に設けてもよい。
【００５５】
・前記実施形態では、期限表示欄１３２ｂに、加工食品の期限表示の他に、当該期限表示欄の期限表示に注視させる趣旨の文言、画または記号を記載したが、期限表示欄１３２ｂの欄外に当該期限表示欄の期限表示に注視させる趣旨の文言、画または記号を記載するようにしてもよい。
【符号の説明】
【００５６】
１００…商品包装箱、１０２…箱本体、１０４…蓋体、
１１０…底壁部、１１２…側壁部、１１４…箱本体周壁、
１２０…上壁部、１２２…側壁部、１２４…蓋体周壁、
１３０…ラベル、１３２…賞味期限記載欄、１３４…ことわり書き欄１３４、
１３６…食餌性アレルゲン記載欄。
【図１】
0003188889.tif 000003
【図２】
0003188889.tif 000004
【図３】
0003188889.tif 000005
【図４】
0003188889.tif 000006